(57)【要約】      （修正有）【課題】断熱性を担保しつつ、屋内や内部の湿度上昇や結露を有効に回避し得る建築物の外壁及び外壁構造を提供する。【解決手段】外壁１および外壁構造Ｘは、一面が屋外側に臨む状態で設置されてなり設置箇所を隙間無く遮蔽してなる軽量気泡コンクリートからなる軽量気泡コンクリート層２と、この軽量気泡コンクリート層２よりも屋内側に隙間無く配された透気性断熱層３と、この透気性断熱材の屋内Ｉ側を隙間無く被覆する透気性を有する板状をなす石膏ボード層４とを有し、屋外Ｏ側から屋内Ｉ側に亘って透気性を保持した状態で設置箇所を隙間無く遮蔽してなる。【選択図】図２
0003189522.tif 000002
【実用新案登録請求の範囲】
【請求項１】
一面が屋外側に臨む状態で設置されてなり設置箇所を隙間無く遮蔽してなる軽量気泡コンクリートからなる軽量気泡コンクリート層と、
この軽量気泡コンクリート層よりも屋内側に隙間無く配され透気性及び断熱性を有した透気性断熱層と、
この透気性断熱層の屋内側を隙間無く被覆する透気性を有する板状をなす屋内側透気ボート層とを有し、
屋外側から屋内側に亘って透気性を保持した状態で設置箇所を隙間無く遮蔽してなることを特徴とする建築物の外壁。
【請求項２】
前記軽量気泡コンクリート層の一面に透気性塗装を施している請求項１記載の建築物の外壁。
【請求項３】
前記軽量気泡コンクリート層及び透気性断熱層との間に透湿性且つ防水性を有する透湿防水シートを配している請求項１又は２記載の建築物の外壁。
【請求項４】
透湿防水シートが透気性断熱層の屋外側に接している請求項３記載の建築物の外壁。
【請求項５】
前記屋内側透気ボード層が石膏ボートからなる石膏ボート層である請求項１、２、３又は４記載の建築物の外壁。
【請求項６】
前記石膏ボート層の他面側に透気性壁紙を貼付している請求項５記載の建築物の外壁。
【請求項７】
前記屋内側透気ボード層が木製の板材からなる屋内側木板層である請求項３記載の建築物の外壁。
【請求項８】
前記屋内側木板層の他面側が屋内空間に露出している請求項７記載の建築物の外壁。
【請求項９】
前記透気性断熱層が透気性を有する透気性断熱材を有している請求項１、２、３、４、５、６、７又は８記載の建築物の外壁。
【請求項１０】
前記透気性断熱材が羊毛断熱材である請求項９記載の建築物の外壁。
【請求項１１】
建築物の駆体を構成する構造材に取り付けられ一面が屋外側に臨む状態で設置されてなる建築物の外壁構造であって、
前記構造材の外面側に配され且つ設置箇所を隙間無く遮蔽してなる軽量気泡コンクリートからなる軽量気泡コンクリート層と、
前記構造材の内面に隙間無く配され設置箇所を隙間無く遮蔽する透気性を有する板状をなす屋内側透気ボート層と、
前記軽量気泡コンクリート層及び前記屋内側透気ボード層との間に配され透気性を有する透気性断熱層とを有し、
屋外側から屋内側に亘って透気性を保持した状態で設置箇所を隙間無く遮蔽してなることを特徴とする建築物の外壁構造。
【請求項１２】
前記透気性断熱層が透気性を有する透気性断熱材を有するものであり、
この透気性断熱材が、前記構造材の厚み寸法だけ隔てられた空間に充填されたものである請求項１１記載の建築物の外壁構造。
【請求項１３】
前記構造材が木材である請求項１１又は１２記載の建築物の外壁構造。
【請求項１４】
透湿性断熱材が羊毛断熱材である請求項１３記載の建築物の外壁構造。
【請求項１５】
前記構造材と前記軽量気泡コンクリート層との間に透湿性且つ防水性を有する透湿防水シートを挟み込んでいる請求項１２、１３又は１４記載の建築物の外壁構造。
【考案の詳細な説明】
【技術分野】
【０００１】
本考案は、断熱性に優れた建築物の外壁に関するものである。
【背景技術】
【０００２】
従来、建築物は屋内の居住空間に新鮮な空気を採り入れるべく、外壁には格別の構造が設けられている。具体的には現行の建築物は、外壁内に別途通気用の隙間や通路を設け別体の換気扇等といった機械的な換気構造を外壁に設けることによりこれら隙間や通路を介して屋内と屋外との空気の交換が可能な設計に基づいて建築されている。
【０００３】
ところで近年、建造物の外壁にはＡＬＣパネルと称される軽量気泡コンクリートパネルが広く用いられる（例えば特許文献１参照）。斯かる軽量気泡コンクリートパネルは、軽量で防火性に優れているのみならず特に断熱性に優れているため、一面が屋外側に臨む建築物の外壁を構成する建材として広く普及している。
【０００４】
そして現行の建築物では屋内の温度保持のため外壁の断熱性能を可能な限り高めるという目的で、外壁の構造を初めとした上記の換気構造以外の構成は、可能な限り気密性が高くなるように設定している。換言すれば内部への気体の透過を完全に遮断した外壁構造が適用されている。特に外壁に関しては内部には前記換気構造以外の部分に空気が侵入し得ないようにして外部から湿気すなわち水蒸気を含んだ空気が侵入しないことを目的とした構造が適用されている。
【０００５】
しかしながら、多くの場合、上記したような機械的な換気構造のみでは屋外と屋内との換気が必要量行われたとしても、建築物自体の居住性や耐久性を損ねてしまう可能性を包含している。具体的に説明すると、上記機械的な換気構造のみでは、間取りといった屋内の具体的構造や屋内における家具等の配置、さらにはエアコンディショナといった空調装置の設置態様の如何によって局所的に換気が行われず結露を来してしまう箇所が生じてしまうことがある。そうなると当該箇所が害虫の発生を助長してしまう。また外壁の内部に屋外からの外気及び屋内からの空気の侵入を防止するようにしたとしても経年劣化を始めとする長期的な観点に立てば、外壁の内部に湿気を含んだ空気が侵入してしまうことがある。そうなると侵入した空気は外壁内に閉じこめられ抜け難くなり、当該空気に含まれる湿気によりが結露してしまうという不具合を招来する。加えて、外壁内の湿度上昇は外壁の断熱性能を低減させてしまうという不具合も招来する。具体的に説明すると、液体である水滴は気体である空気よりも熱伝導率が高い点、及び空気の湿度が高い程熱伝導率が高くなる点から、結露を来したか或いは内部の湿度が高い状態にある外壁は、内部の湿度が低く保たれた外壁よりも断熱性能が低い。加えて外壁を支持する建築物の構造材として木材を用いた場合は、上記のような外壁内部の結露及び湿度上昇により、外壁内部に配された木材が腐朽してしまうという不具合も招来してしまう。
【０００６】
ここで、上記した特許文献１のように、内部に意図的に通気溝を設け積極的に通気を促すという、所謂外壁内通気構造を有する外壁を構成すれば、上記の外壁内の結露や湿度上昇という問題は軽減されるものと考えられる。しかし当該構成では外壁内に通気を促している以上、外壁自体の断熱性が当該通気の如何により低減されることは避けられない。換言すれば当該特許文献１の如き構造では、外壁全体としての断熱性が有効に向上され得ないものとなっている。
【先行技術文献】
【特許文献】
【０００７】
【特許文献１】特許第２０１３−１０８２３５号公報
【考案の概要】
【考案が解決しようとする課題】
【０００８】
本考案は、断熱性を担保しつつ、屋内や内部の湿度上昇や結露を有効に回避し得る建築物の外壁を提供することにある。
【課題を解決するための手段】
【０００９】
すなわち、本考案の建築物の外壁は、一面が屋外側に臨む状態で設置されてなる建築物の外壁であって、設置箇所を隙間無く遮蔽してなる軽量気泡コンクリートからなる軽量気泡コンクリート層と、この軽量気泡コンクリート層よりも屋内側に隙間無く配された透気性断熱層と、この透気性断熱材の屋内側を隙間無く被覆する透気性を有する板状をなす屋内側透気ボート層とを有し、屋外側から屋内側に亘って透気性を保持した状態で設置箇所を隙間無く遮蔽してなることを特徴とする。
【００１０】
ここで、「透気性」とは、軽量気泡コンクリート層に対しては一般にコンクリートやモルタル、石膏といった水硬化性の素材に対して用いる場合同様、空気、水蒸気を始めとした気体を透過させ得る特性を指す。そして本明細書においては便宜上、素材が上記水硬化性の素材に有る無しに拘わらず、同様に気体を透過させ得る特性を指すものとする。つまり、「屋外側から屋内側に亘って透気性を保持した状態で設置箇所を隙間無く遮蔽してなる」とは、厚み方向に開口を設けることなく遮蔽しつつも透気性により気体の透過を許容するという概念である。
【００１１】
このようなものであれば、この外壁の厚み方向での空気の入れ替わりが許容されるので、必要な機械換気の強化に頼ることなく屋内の換気をスムーズに行わせる事が出来る。また外壁の厚み方向での空気の入れ替わりは外気を直接導入するものとは異なり外壁自体の温度に依存したものであるため、外壁が元来有する断熱性を発揮させながら屋内の温度を保ちつつ換気を促すことが可能となる。その結果、断熱性を担保しつつ、屋内や内部の湿度上昇や結露を有効に回避し得る建築物の外壁を提供することができる。
【００１２】
風雨による軽量気泡コンクリート層の汚れや日射による劣化を防ぎつつ、外観に優れたものとするためには、軽量気泡コンクリート層の一面に透気性塗装を施すことが望ましい。
【００１３】
屋外からの風雨による水が透気性断熱層に到達することを有効に回避するためには、軽量気泡コンクリート層及び透気性断熱層との間に透湿性且つ防水性を有する透湿防水シートを配することが望ましい。
【００１４】
そして透気性断熱層からの湿気すなわち水蒸気を速やかに屋外側へ放出させるためには、透湿防水シートが透気性断熱層の屋外側に接している状態とすることが好ましい。
【００１５】
屋内の居住性や内装作業の作業性を有効に担保し得る一例として、屋内側透気ボード層を石膏ボートからなる石膏ボート層である態様を挙げることができる。
【００１６】
また、屋内側透気ボード層として石膏ボード層を適用した態様における屋内側の一態様として、当該屋内側透気ボード層の他面側に透気性壁紙を貼付してもよい。
【００１７】
また、所望の外観をなす居住空間を得るために屋内側透気ボード層を構成する他の態様として、屋内側透気ボード層を木製の板材からなる屋内側木板層とする態様を挙げることができる。
【００１８】
そして当該屋内側木板層が有する透気性を有効に発揮させるためには、この屋内側木板層の他面側が屋内空間に露出するようにすることが望ましい。
【００１９】
透気性断熱層が透気性を有する透気性断熱材を有するものとし、当該透気性断熱材を羊毛断熱材とすれば、特に羊毛断熱材の特性により屋内の湿度を例えば５５％前後といった居住者にとって快適な環境を提供することができる。
【００２０】
ここで、上記の外壁を建築物に好適に適用し得るようにするために本考案に係る建築物の外壁構造は、建築物の駆体を構成する構造材に取り付けられ一面が屋外側に臨む状態で設置されてなるものであって、構造材の外面側に配され且つ設置箇所を隙間無く遮蔽してなる軽量気泡コンクリートからなる軽量気泡コンクリート層と、前記構造材の内面に隙間無く配され設置箇所を隙間無く遮蔽する透気性を有する板状をなす屋内側透気ボート層と、前記軽量気泡コンクリート層及び前記屋内側透気ボード層との間に配され透気性を有する透気性断熱層とを有し、屋外側から屋内側に亘って透気性を保持した状態で設置箇所を隙間無く遮蔽してなることを特徴とする。
【００２１】
このようなものであれば、建築物の駆体を利用して断熱性を担保しつつ、屋内や内部の湿度上昇や結露を有効に回避し得る建築物の外壁を提供することができる。
【００２２】
そして、建築物の駆体の構造をより有効に利用する一態様として、透気性断熱層が透気性を有する透気性断熱材を有するものとし、この透気性断熱材を、構造材の厚み寸法だけ隔てられた空間に充填する態様を挙げることができる。
【００２３】
また、外壁の断熱性を担保しつつ屋内の湿度をより居住者にとって快適なものとするためには、構造材を木材とする、すなわち木造の建築物に本考案に係る外壁構造を適用することが好ましい。
【００２４】
そして、木製の構造材と併せて透湿性断熱材として羊毛断熱材とすれば、室内の湿気が常に５５％内外に保たれ、居住者にとって好ましい温熱環境となる。
【００２５】
そして、透湿性断熱材に屋外からの風雪による濡れを来す事を有効に回避するためには、構造材と軽量気泡コンクリート層との間に透湿性且つ防水性を有する透湿防水シートを挟み込むように配することが望ましい。
【考案の効果】
【００２６】
以上説明したように本考案によれば、断熱性を担保しつつ、屋内や内部の湿度上昇や結露を有効に回避し得る建築物の外壁を提供することが可能となる。
【図面の簡単な説明】
【００２７】
【図１】本考案の一実施形態に係る外壁を示す外観図。
【図２】同実施形態に係る平断面図。
【図３】同考案に係る作用説明図。
【図４】同実施形態の変形例に係る平断面図。
【考案を実施するための形態】
【００２８】
以下、本考案の一実施形態を、図１〜図３を参照して説明する。
【００２９】
本考案に係る外壁１は、図１に示すような建築物Ｂに適用されてなるものである。このように本考案に係る外壁１は、一面側が屋外Ｏに露出された状態で設置されてなる。換言すれば、斯かる外壁１は、図２及び図３に示すような本考案に係る外壁構造Ｘにより建築物Ｂに適用される。
【００３０】
すなわち本考案に係る外壁１は、一面２ａが屋外Ｏ側に臨む状態で設置されてなり設置箇所を隙間無く遮蔽してなる軽量気泡コンクリートからなる軽量気泡コンクリート層２と、この軽量気泡コンクリート層２よりも屋内Ｉ側に隙間無く配され透気性及び断熱性を有した透気性断熱層３と、この透気性断熱層３の屋内Ｉ側を隙間無く被覆する透気性を有する板状をなす屋内側透気ボード層たる石膏ボード層４とを有し、屋外Ｏ側から屋内Ｉ側に亘って透気性を保持した状態で設置箇所を隙間無く遮蔽してなることを特徴とする。
【００３１】
そして本考案に係る外壁構造Ｘは、建築物Ｂの駆体を構成する構造材である柱８に取り付けられ一面が屋外Ｏ側に臨む状態で設置されてなる建築物Ｂの外壁構造Ｘであって、柱８の外面側に配され且つ設置箇所を隙間無く遮蔽してなる軽量気泡コンクリートからなる軽量気泡コンクリート層２と、柱８の内面に隙間無く配され設置箇所を隙間無く遮蔽する透気性を有する板状をなす石膏ボード層４と、軽量気泡コンクリート層２及び石膏ボード層４との間に配され透気性を有する透気性断熱層３とを有し、屋外Ｏ側から屋内Ｉ側に亘って透気性を保持した状態で設置箇所を隙間無く遮蔽してなることを特徴とする。
【００３２】
以下、本考案に係る外壁１及び外壁構造Ｘについて詳述する。
【００３３】
本考案に係る外壁１は、図２に示すように、屋外Ｏ側から、透気性塗装５、軽量気泡コンクリート層２、透湿防水シート６、透気性断熱層３、屋内側透気ボード層たる石膏ボード層４及び透気性壁紙７の順に配される。これら各構成要素はいずれも透気性や通気性を遮断する要素を介することなく重層されてなる。そして当該外壁１は、建築物Ｂの駆体すなわち構造材である柱８に対し、軽量気泡コンクリート層２及び石膏ボード層４を挟み込むという本考案に係る外壁構造Ｘによって、建築物Ｂの駆体に設けられてなる。ここで本実施形態では、柱８として木製の柱８や梁を適用している。すなわち本考案に係る建築物Ｂは所謂木造住宅である。また本実施形態では柱８を構成する材料として、一辺が１０５ｍｍ又は１２０ｍｍである角材を適用している。
【００３４】
透気性塗装５は、軽量気泡コンクリート層２の一面２ａに施されている。この透気性塗装５は種々の態様を適用でき、本実施形態とは例えば防水性及び透気性に優れたアクリルリシンを適用しているが勿論それに限られる事はない。当該透気性塗装５としては、セメント系の顔料が多く、合成樹脂が少ない態様の塗料を用いることが好ましい。
【００３５】
軽量気泡コンクリート層２は、本実施形態では厚み寸法が３８ｍｍである単層の所謂ＡＬＣコンクリートと称される軽量気泡コンクリートの単層構造を一例として適用している。しかし斯かる軽量気泡コンクリート層２は、骨材の径や重量といった態様の異なる複数種類の軽量気泡コンクリートを重層させてなるものとしても良い。
【００３６】
透湿防水シート６は、本実施形態では軽量気泡コンクリート層２及び透気性断熱層３との間に配される、透湿性且つ防水性を有するものである。当該透湿防水シート６は表面に水滴の透過を防止し水蒸気ｗや二酸化炭素ｃ（図３）の透過を許容し得る所定の寸法範囲を有する径を有する開口や繊維の隙間が全面に亘って配されているものである。斯かる特性を有するシートであれば、透湿防水シート６は既存の種々のものを適用し得る。また勿論、本実施形態に係る透湿防水シート６は図示の如く単層をなすものに限られない。また当該透湿防水シート６は透気性断熱層３の屋外Ｏ側に接しているため、透気性断熱層３への屋外Ｏからの水滴の侵入を有効に防止し得る。本実施形態では柱８と軽量気泡コンクリート層２との間に透湿性且つ防水性を有する透湿防水シート６を挟み込んで取り付けている。そのため、透湿防水シート６は柱８に強固に固定される。
【００３７】
透気性断熱層３は、本実施形態では柱８を構成する角材の一辺の寸法に応じて透湿防水シート６及び石膏ボード層４が離間した、透気性断熱材たる羊毛断熱材３１を収容している領域を指す。本実施形態ではこの領域に羊毛断熱材３１を収容することにより、屋内Ｉの気温や屋外Ｏの湿度の如何に拘わらず、屋内Ｉの湿度を５５％程度に保ち得る。また勿論、斯かる透気性断熱層３自体に含まれる空気の湿度も同様に５５％程度に保たれている。これにより、当該透気性断熱層３内でも屋内Ｉでも結露が抑止される。特に当該透気性断熱層３内にて結露が抑止されることで柱８の腐朽の防止に資するものとなっている。またこの羊毛断熱材３１は、本実施形態では上記の湿度調整機能及び耐久性を併せて担保すべく、羊毛とポリエステルとを混紡した繊維からなるものを適用している。
【００３８】
屋内側透気ボード層としての石膏ボート層４は、例えば厚み寸法１２．５ｍｍの石膏ボートからなるものである。本実施形態では当該石膏ボード層４を一枚の石膏ボードとして図示しているが勿論、当該石膏ボート層４は複数の石膏ボードを適宜凹凸係合等させることにより面方向に結合させてなるものとしても良い。
【００３９】
そして本実施形態に係る外壁１は、屋内Ｉ側に透気性壁紙７を露出させてなる。この透気性壁紙７は上記防水透湿シート６と同様、空気の流れを遮蔽しつつ気体分子を透過させ得る径を有する開口や繊維の隙間が全面に亘って形成されているものであれば、既存の種々の壁紙を適用し得る。また当該透気性壁紙７に代えて、石膏の下塗りを介した塗り壁を配しても、透気性壁紙７同様の作用を奏する。
【００４０】
そして以上に説明した外壁１によれば、図３上側に示すように屋内Ｉ側すなわち居住空間の空気の湿度や二酸化炭素ｃといった特定の気体の濃度が屋外Ｏ側よりも高い状態であっても、時間に応じて漸次特定の気体の濃度が低くなり、同図下側に示すように屋外Ｏの湿度及び濃度に近い状態となる。
【００４１】
具体的に説明すると、まず図３上側のように、屋内Ｉ側が暖房等により屋外Ｏ側よりも温度が高い他、湿度が一時的に高い状態すなわち水蒸気ｗが高濃度で空気に含まれている状態且つ一時的に二酸化炭素ｃ濃度が比較的高い状態にあるとき、屋内Ｉ側に設置された図示しない換気扇を作動させると、屋内Ｉ外の気圧差が発生する。その結果外壁１内の空気が他面側つまり屋内Ｉ側へ漸次移動し、屋内Ｉ側へ取り込まれる。この空気は外壁１自体の温度に依存したものであるため屋内Ｉ側の温度に近い温度にあり、且つ透気性断熱層３内の羊毛断熱材３１に近接していたために湿度が５５％程度に保持された空気である。これにより、屋外Ｏ側の外気が直接侵入する場合に比べて温度変化が抑制される。
【００４２】
他方、換気扇による気圧差が生じていないか空気の移動に影響を与えない程度のものであった場合であっても上記同様の作用が奏される。すなわち図３上側に示すように屋外Ｏ側及び屋内Ｉ側では水蒸気ｗ及び二酸化炭素ｃの濃度はそれぞれ差が生じていても、水蒸気ｗの分子及び二酸化炭素ｃの分子は濃度が高い屋内Ｉ側から濃度が低い屋内Ｉ側へ漸次移動する。その結果、やはり同図下側に示すように屋外Ｏ側と屋内Ｉ側との湿度差及び二酸化炭素ｃ濃度差は殆ど無い状態となる。またこのとき酸素分子は屋外Ｏ側から屋内Ｉ側へ取り込まれていることになるが同図での図示は省略している。そしてこれら外壁１を介した分子或いは空気の移動は総じて緩慢に行われる。このため屋内Ｉに入る空気は外壁１自体の温度に応じて上昇又は低下した後屋内Ｉへ入る。これにより、屋外Ｏ側及び屋内Ｉ側の温度差は同図下側に示した状態となっても有効に維持される。すなわち、本実施形態の外壁１による換気は、屋内Ｉ側である居住空間内の冷暖房ロスを少なくする。
【００４３】
以上のように、本実施形態に係る建築物Ｂの外壁１及び外壁構造Ｘによれば、屋外Ｏ側及び屋内Ｉ側が外壁１により遮蔽されつつも透気性による厚み方向での空気の入れ替わりが許容されるので、建築物Ｂに設ける換気扇等の機械換気の強化に頼ることなく屋内Ｉの換気をスムーズに行わせ得る。また外壁１の厚み方向での空気の入れ替わりは外気を直接導入するものとは異なるため、外壁１が元来有する断熱性を発揮させながら屋内Ｉの温度を保ちつつ換気を促し得るものとなっている。その結果、断熱性を担保しつつ、屋内Ｉや内部の湿度上昇や結露を有効に回避し得る建築物Ｂの外壁１の提供に寄与している。
【００４４】
他方、屋外Ｏ側及び屋内Ｉ側共に通気されない従来の一般工法は居住空間に湿気（水蒸気ｗ）が侵入したり、壁体の内部に内部結露が起こったりした場合に湿気すなわち水蒸気ｗの出口が無い。その結果、一般に室内の冷えや、暑さには温度のみならず湿度も大きく影響することから、湿度による居住性の低下を招来している。加えて従来の一般工法では一度壁体内部に入った水分（湿気）が抜けがたく、壁体内に設けた断熱材の性能は著しく低下する傾向にあるものとなっていた。
【００４５】
すなわち本実施形態に係る外壁１及び外壁構造Ｘは、上記した従来の一般工法に起因する不具合を有効に解消し得ている。
【００４６】
そして、風雨による軽量気泡コンクリート層２の汚れや日射による劣化を防ぎつつ、外観に優れたものとするために本実施形態では、軽量気泡コンクリート層２の一面に透気性塗装５を施している。
【００４７】
屋外Ｏからの風雨による水が透気性断熱層３に到達することをより有効に回避するために本実施形態では、軽量気泡コンクリート層２及び透気性断熱層３との間に透湿防水シート６を配している。
【００４８】
そして透気性断熱層３からの湿気すなわち水蒸気ｗを速やかに屋外Ｏ側へ放出させるために本実施形態では、透湿防水シート６が透気性断熱層３の屋外Ｏ側に接している状態としている。
【００４９】
屋内Ｉの居住性や内装作業の作業性を有効に担保し得るようにするために本実施形態では屋内側透気ボード層として、透気性に優れた石膏ボートからなる石膏ボート層４としている。
【００５０】
また、屋内側透気ボード層として石膏ボード層４を適用した態様を適用した本実施形態において好適に居住空間を構成すべく、当該石膏ボード層４の他面すなわち屋内Ｉ側に透気性壁紙７を貼付している。
【００５１】
特に本実施形態に係る外壁１は、透気性断熱層３が透気性を有する透気性断熱材を有するものとし、当該透気性断熱材を羊毛断熱材３１としているので、特に羊毛断熱材３１の特性により屋内Ｉの湿度を例えば５５％前後といった居住者にとって快適な環境の提供に寄与している。ちなみに、一般的に室内の害虫（ダニ、ゴキブリ、ムカデ等）は逆に高湿度の環境を好むので、斯かる点でも快適な住環境を実現し得ている。
【００５２】
そして、建築物Ｂの駆体の構造をより有効に利用すべく本実施形態では、羊毛断熱材３１を、構造材たる柱８の厚み寸法だけ隔てられた空間に充填する態様を適用している。
【００５３】
また、外壁１の断熱性を担保しつつ屋内Ｉの湿度をより居住者にとって快適なものとするために本実施形態では、構造材が木材である柱８を主体とした、木造の建築物Ｂに適用しても、木材が腐朽し難く、建築物Ｂの耐久性を有効に向上せしめている。
【００５４】
特に本実施形態では、木製の柱８と併せて羊毛断熱材３１を用いることにより、外壁１内部及び屋内Ｉ側の湿度が常に５５％内外に保たれ上記の如く柱８の腐朽も有効に回避されつつ、居住者にとって好ましい温熱環境を実現している。
【００５５】
そして本実施形態では羊毛断熱材３１に屋外Ｏからの風雪による濡れを来す事を有効に回避するために、柱８と軽量気泡コンクリート層２との間に透湿防水シート６を挟み込むように配している。
【００５６】
＜変形例＞
以下に、本考案の変形例について説明する。なお本変形例において上記実施形態の構成要素に該当するものには同じ符号を付すとともにその詳細な説明を省略するものとする。
【００５７】
本変形例に係る外壁１および外壁構造Ｘは、上記実施形態同様、屋外Ｏ側から、透気性塗装５、軽量気泡コンクリート層２、透湿防水シート６、透気性断熱層３の順に配される。
【００５８】
しかして本変形例では図４に示すように、上記実施形態に係る石膏ボード層４及び透気性壁紙７の代わりに、屋内側透気ボード層として、木製の板材からなる屋内側木板層４０としている。これら各構成要素は、やはり上記実施形態同様、いずれも透気性や通気性を遮断する要素を介することなく重層されてなる。
【００５９】
屋内側木板層４０は、柱８の他面側すなわち屋内Ｉ側に密着して配され、屋内Ｉにはそのまま木材の表面４０ａを露出させてなる。また当該屋内側木板層４０は図４では単層の木材として図示しているが勿論、透気性を有するものであれば複数の板材を重層させたり、集成材を用いたりしても良い。
【００６０】
このようなものであっても上記実施形態同様、断熱性を担保しつつ、屋内Ｉや内部の湿度上昇や結露を有効に回避し得る建築物Ｂの外壁１の提供に寄与し得る。
【００６１】
以上、本考案の実施形態及び変形例について説明したが本考案は、以上に詳述した実施形態及び変形例に限られるものではない。
【００６２】
例えば、上記実施形態では専ら建築物の構造材の構成を利用して外壁を構成する態様を開示したが勿論、構造材とは独立して外壁を構成し得るものとしても良い。すなわち上記実施形態及び変形例では透気性断熱層の厚み寸法が構造材により位置決めされているが、別異の位置決め部材を配するようにして、外壁をパネル状に成形し、当該パネル状の外壁を建築現場で組み立てるようにしてもよい。
【００６３】
その他、各部の具体的構成についても上記実施形態に限られるものではなく、本考案の趣旨を逸脱しない範囲で種々変形が可能である。
【符号の説明】
【００６４】
１…外壁
２…軽量気泡コンクリート層
２ａ…一面
３…透気性断熱層
３１…羊毛断熱材
４…屋内側透気ボート層（石膏ボード層）
４０…屋内側透気ボート層（屋内側木板層）
８…構造材（柱）
８ａ…構造材の外面（外面）
Ｂ…建築物
Ｉ…屋内
Ｏ…屋外
Ｘ…外壁構造
【図１】
0003189522.tif 000003
【図２】
0003189522.tif 000004
【図３】
0003189522.tif 000005
【図４】
0003189522.tif 000006
【手続補正書】
【提出日】平成26年1月17日(2014.1.17)
【手続補正１】
【補正対象書類名】実用新案登録請求の範囲
【補正対象項目名】全文
【補正方法】変更
【補正の内容】
【実用新案登録請求の範囲】
【請求項１】
一面が屋外側に臨む状態で設置されてなり設置箇所を隙間無く遮蔽してなる軽量気泡コンクリートからなる軽量気泡コンクリート層と、
この軽量気泡コンクリート層よりも屋内側に隙間無く配され透気性及び断熱性を有した透気性断熱層と、
この透気性断熱層の屋内側を隙間無く被覆する透気性を有する板状をなす屋内側透気ボード層とを有し、
屋外側から屋内側に亘って透気性を保持した状態で設置箇所を隙間無く遮蔽してなることを特徴とする建築物の外壁。
【請求項２】
前記軽量気泡コンクリート層の一面に透気性塗装を施している請求項１記載の建築物の外壁。
【請求項３】
前記軽量気泡コンクリート層及び透気性断熱層との間に透湿性且つ防水性を有する透湿防水シートを配している請求項１又は２記載の建築物の外壁。
【請求項４】
透湿防水シートが透気性断熱層の屋外側に接している請求項３記載の建築物の外壁。
【請求項５】
前記屋内側透気ボード層が石膏ボードからなる石膏ボード層である請求項１、２、３又は４記載の建築物の外壁。
【請求項６】
前記石膏ボード層の他面側に透気性壁紙を貼付している請求項５記載の建築物の外壁。
【請求項７】
前記屋内側透気ボード層が木製の板材からなる屋内側木板層である請求項３記載の建築物の外壁。
【請求項８】
前記屋内側木板層の他面側が屋内空間に露出している請求項７記載の建築物の外壁。
【請求項９】
前記透気性断熱層が透気性を有する透気性断熱材を有している請求項１、２、３、４、５、６、７又は８記載の建築物の外壁。
【請求項１０】
前記透気性断熱材が羊毛断熱材である請求項９記載の建築物の外壁。
【請求項１１】
建築物の駆体を構成する構造材に取り付けられ一面が屋外側に臨む状態で設置されてなる建築物の外壁構造であって、
前記構造材の外面側に配され且つ設置箇所を隙間無く遮蔽してなる軽量気泡コンクリートからなる軽量気泡コンクリート層と、
前記構造材の内面に隙間無く配され設置箇所を隙間無く遮蔽する透気性を有する板状をなす屋内側透気ボード層と、
前記軽量気泡コンクリート層及び前記屋内側透気ボード層との間に配され透気性を有する透気性断熱層とを有し、
屋外側から屋内側に亘って透気性を保持した状態で設置箇所を隙間無く遮蔽してなることを特徴とする建築物の外壁構造。
【請求項１２】
前記透気性断熱層が透気性を有する透気性断熱材を有するものであり、
この透気性断熱材が、前記構造材の厚み寸法だけ隔てられた空間に充填されたものである請求項１１記載の建築物の外壁構造。
【請求項１３】
前記構造材が木材である請求項１１又は１２記載の建築物の外壁構造。
【請求項１４】
透気性断熱材が羊毛断熱材である請求項１３記載の建築物の外壁構造。
【請求項１５】
前記構造材と前記軽量気泡コンクリート層との間に透湿性且つ防水性を有する透湿防水シートを挟み込んでいる請求項１２、１３又は１４記載の建築物の外壁構造。
【手続補正２】
【補正対象書類名】明細書
【補正対象項目名】０００９
【補正方法】変更
【補正の内容】
【０００９】
すなわち、本考案の建築物の外壁は、一面が屋外側に臨む状態で設置されてなる建築物の外壁であって、設置箇所を隙間無く遮蔽してなる軽量気泡コンクリートからなる軽量気泡コンクリート層と、この軽量気泡コンクリート層よりも屋内側に隙間無く配された透気性断熱層と、この透気性断熱材の屋内側を隙間無く被覆する透気性を有する板状をなす屋内側透気ボード層とを有し、屋外側から屋内側に亘って透気性を保持した状態で設置箇所を隙間無く遮蔽してなることを特徴とする。
【手続補正３】
【補正対象書類名】明細書
【補正対象項目名】００１５
【補正方法】変更
【補正の内容】
【００１５】
屋内の居住性や内装作業の作業性を有効に担保し得る一例として、屋内側透気ボード層を石膏ボードからなる石膏ボード層である態様を挙げることができる。
【手続補正４】
【補正対象書類名】明細書
【補正対象項目名】００２０
【補正方法】変更
【補正の内容】
【００２０】
ここで、上記の外壁を建築物に好適に適用し得るようにするために本考案に係る建築物の外壁構造は、建築物の駆体を構成する構造材に取り付けられ一面が屋外側に臨む状態で設置されてなるものであって、構造材の外面側に配され且つ設置箇所を隙間無く遮蔽してなる軽量気泡コンクリートからなる軽量気泡コンクリート層と、前記構造材の内面に隙間無く配され設置箇所を隙間無く遮蔽する透気性を有する板状をなす屋内側透気ボード層と、前記軽量気泡コンクリート層及び前記屋内側透気ボード層との間に配され透気性を有する透気性断熱層とを有し、屋外側から屋内側に亘って透気性を保持した状態で設置箇所を隙間無く遮蔽してなることを特徴とする。
【手続補正５】
【補正対象書類名】明細書
【補正対象項目名】００２４
【補正方法】変更
【補正の内容】
【００２４】
そして、木製の構造材と併せて透気性断熱材として羊毛断熱材とすれば、室内の湿気が常に５５％内外に保たれ、居住者にとって好ましい温熱環境となる。
【手続補正６】
【補正対象書類名】明細書
【補正対象項目名】００２５
【補正方法】変更
【補正の内容】
【００２５】
そして、透気性断熱材に屋外からの風雪による濡れを来す事を有効に回避するためには、構造材と軽量気泡コンクリート層との間に透湿性且つ防水性を有する透湿防水シートを挟み込むように配することが望ましい。
【手続補正７】
【補正対象書類名】明細書
【補正対象項目名】００３８
【補正方法】変更
【補正の内容】
【００３８】
屋内側透気ボード層としての石膏ボード層４は、例えば厚み寸法１２．５ｍｍの石膏ボードからなるものである。本実施形態では当該石膏ボード層４を一枚の石膏ボードとして図示しているが勿論、当該石膏ボード層４は複数の石膏ボードを適宜凹凸係合等させることにより面方向に結合させてなるものとしても良い。
【手続補正８】
【補正対象書類名】明細書
【補正対象項目名】００４９
【補正方法】変更
【補正の内容】
【００４９】
屋内Ｉの居住性や内装作業の作業性を有効に担保し得るようにするために本実施形態では屋内側透気ボード層として、透気性に優れた石膏ボードからなる石膏ボード層４としている。
【手続補正９】
【補正対象書類名】明細書
【補正対象項目名】００６４
【補正方法】変更
【補正の内容】
【００６４】
１…外壁
２…軽量気泡コンクリート層
２ａ…一面
３…透気性断熱層
３１…羊毛断熱材
４…屋内側透気ボード層（石膏ボード層）
４０…屋内側透気ボード層（屋内側木板層）
８…構造材（柱）
８ａ…構造材の外面（外面）
Ｂ…建築物
Ｉ…屋内
Ｏ…屋外
Ｘ…外壁構造